(57)【要約】【課題】本発明の課題は、被取付箇所の形状に影響を受けることなく、確実に配置可能であるとともに、ユニット化することにより、取付作業性及び搬送性を向上させ、複数の設置有無バージョンに柔軟に対応することが可能なサイドエアバッグ装置を提供することにある。【解決手段】車体と後部座席との間に設けられるサイドエアバッグ装置ＳＡに関する。エアバッグ装置ＳＡは、膨出可能なエアバッグと、このエアバッグ内にガスを注入するインフレータ２２と、エアバッグ及びインフレータ２２を格納するケース１０と、を少なくとも有して構成されている。このエアバッグ装置ＳＡは、ケース１０に、エアバッグ及びインフレータ２２を格納した状態でユニット化されており、被取付部Ｋに対してユニットごと着脱可能である。【選択図】図２
2015009623.tif 000002
【特許請求の範囲】
【請求項１】
車体と後部座席との間に設けられるサイドエアバッグ装置であって、
該エアバッグ装置は、膨出可能なエアバッグと、該エアバッグ内にガスを注入するインフレータと、前記エアバッグ及び前記インフレータを格納するケースと、を少なくとも有して構成されており、
前記エアバッグ装置は、前記ケースに、前記エアバッグ及び前記インフレータを格納した状態でユニット化されており、被取付部に対してユニットごと着脱可能であることを特徴とするサイドエアバッグ装置。
【請求項２】
前記被取付部は、孔部、切欠き部、切断部、から選択される構成をとり、
前記ケースには、前記被取付部の自由端部を係止するための係止部がそなえられており、該係止部の係止力により前記被取付部に取付けられることを特徴とする請求項１に記載のサイドエアバッグ装置。
【請求項３】
前記被取付部は、孔部、切欠き部、切断部、から選択される構成をとり、
前記ケースには、前記被取付部の自由端を挟持して配設位置を案内するとともに位置決めを行う係合案内部が形成されることを特徴とする請求項１又は請求項２に記載のサイドエアバッグ装置。
【請求項４】
前記係合案内部は、前記ケースにおいて、前記インフレータの軸方向端部に形成されていることを特徴とする請求項３に記載のサイドエアバッグ装置。
【請求項５】
前記係止部は、前記ケースにおいて、前記被取付部材の車両前方側に位置する側の端面に配置されるように形成されていることを特徴とする請求項２乃至請求項４いずれか一項に記載のサイドエアバッグ装置。
【請求項６】
前記ケースは、有底筐体として構成されており、
前記ケースの有底筐体開口部には、全周に渡ってフランジ状の周縁部が形成されており、
該周縁部、前記ケースの底面壁よりも前記車両の前方側に配置されるとともに、前記係止部は、前記周縁部に形成されていることを特徴とする請求項２乃至請求項５いずれか一項に記載のサイドエアバッグ装置。
【請求項７】
前記係止部は、前記インフレータの軸方向と異なる方向へ係止力が作用するように設けられることを特徴とする請求項２乃至請求項６いずれか一項に記載のサイドエアバッグ装置。
【請求項８】
前記係止部は、前記インフレータの軸方向と略平行に並列するように複数備えられていることを特徴とする請求項２乃至請求項７いずれか一項に記載のサイドエアバッグ装置。
【請求項９】
前記ケースの外側面には、補強のために外側へ向けて突出形成されたリブ部が備えられており、前記係止部は前記リブ部が形成される位置と整合する位置に形成されることを特徴とする請求項２乃至請求項８いずれか一項に記載のサイドエアバッグ装置。
【請求項１０】
前記リブ部は、前記係止部と整合する位置に形成される係止部側リブ部と、その他の通常リブ部とで、構成されており、
前記係止部側リブ部は、前記通常リブ部よりも、外側へ向けての突出量が小さいことを特徴とする請求項９に記載のサイドエアバッグ装置。
【請求項１１】
前記リブ部は、車体の構造体へと連結されることを特徴とする請求項９又は請求項１０に記載のサイドエアバッグ装置。
【請求項１２】
前記リブ部は、表皮取付用のリブとして機能することを特徴とする請求項９乃至請求項１１いずれか一項に記載のサイドエアバッグ装置。
【請求項１３】
前記リブ部は、前記係止部と整合する位置に形成される係止部側リブ部と、その他の通常リブ部とで、構成されており、
前記表皮取付用のリブは、前記通常リブ部であることを特徴とする請求項１２に記載のサイドエアバッグ装置。
【請求項１４】
前記ケースには、力布取付部が形成されていることを特徴とする請求項１乃至請求項１３いずれか一項に記載のサイドエアバッグ装置。
【請求項１５】
前記ケースの側面には、力布貫通孔が形成されており、前記係止部は、前記力布貫通孔を車両上下方向に避けた位置に形成されていることを特徴とする請求項１乃至請求項１４いずれか一項に記載のサイドエアバッグ装置。
【請求項１６】
車両搭載時において、
前記ケースは、該ケースの開口部が車両前方に向くように配置されており、
前記開口部には、リアバックサイド前端部に配置されるパッドの少なくとも一部が挿入されていることを特徴とする請求項１乃至請求項１５いずれか一項に記載のサイドエアバッグ装置。
【発明の詳細な説明】
【技術分野】
【０００１】
本発明は、車両側方から付加される衝撃を緩和するためのサイドエアバッグ装置に係り、特に、リアシートに好適に適用されるサイドエアバッグ装置に関するものである。
【背景技術】
【０００２】
従来、サイドエアバッグ装置として、エアバッグ内にガスを注入するインフレータと、
エアバッグおよびインフレータを前側から覆う樹脂製のカバーと、インフレータをカバー
に取り付けるための金属製のボックスと、を備えたものが知られている（特許文献１参照）。
具体的に、この技術では、インフレータでエアバッグを膨張させると、エアバッグが樹
脂製のカバーの薄肉部を破壊して膨張展開するようになっている。
本例の（サイド）エアバッグ装置は、車両のボディ（車両内側の壁部）と後部座席の背もたれ部との間に形成される空間に固定されている。
つまり、この（サイド）エアバッグ装置は、インフレータとエアバッグとを主要構成としており、これらインフレータとエアバッグは、Ｌ字形状のインナーカバーを介して上記空間にボルト固定されている。
【先行技術文献】
【特許文献】
【０００３】
【特許文献１】特開２００９−４０３２８号公報
【発明の概要】
【発明が解決しようとする課題】
【０００４】
このような構成のサイドエアバッグ装置は、車両のボディ（車両内側の壁部）と後部座席の背もたれ部との間に形成される空間に取付けることができるよう構成されている。
しかし、このような構成のサイドエアバッグ装置は、被取付部への取付が煩雑であり、作業性が損なわれているという問題があった。
このため、簡易かつ確実に被取付部へ取付可能なサイドエアバッグ装置の開発が望まれていた。
【０００５】
本発明は、上記の問題に鑑みてなされたものであり、その目的は、ユニット化することにより、取付作業性の向上を実現したサイドエアバッグ装置を提供することにある。
【課題を解決するための手段】
【０００６】
前記課題は、本発明の請求項１に係るサイドエアバッグ装置によれば、車体と後部座席との間に設けられるサイドエアバッグ装置であって、該エアバッグ装置は、膨出可能なエアバッグと、該エアバッグ内にガスを注入するインフレータと、前記エアバッグ及び前記インフレータを格納するケースと、を少なくとも有して構成されており、前記エアバッグ装置は、前記ケースに、前記エアバッグ及び前記インフレータを格納した状態でユニット化されており、被取付部に対してユニットごと着脱可能であることにより解決される。
【０００７】
このように構成されることによって、サイドエアバッグ装置が、１個のユニットとして完成することとなる。
このように、本発明に係るサイドエアバッグ装置は、エアバッグユニットを取付けた状態でユニット化して（１個のユニットとして完成して）おり、アタッチメント方式で設置することができるため、取付作業が容易となり作業性が向上する。
【０００８】
また、このとき、請求項２のように、前記被取付部は、孔部、切欠き部、切断部、から選択される構成をとり、前記ケースには、前記被取付部の自由端部を係止するための係止部がそなえられており、該係止部の係止力により前記被取付部に取付けられると好適である。
このように構成されることによって、ユニット化されたサイドエアバッグ装置を係止部により簡易かつ確実に取付けることができる。
【０００９】
更にこのとき、請求項３のように、前記被取付部は、孔部、切欠き部、切断部、から選択される構成をとり、前記ケースには、前記被取付部の自由端を挟持して配設位置を案内するとともに位置決めを行う係合案内部が形成されると好適である。
具体的には、請求項４のように、前記係合案内部は、前記ケースにおいて、前記インフレータの軸方向端部に形成されていると好適である。
このように係合案内部が構成されることにより、設置操作性が向上するとともに、位置決めが容易になる。また、取付安定性も向上する。
【００１０】
また、係止部の位置の具体的構成として、請求項５のように、前記係止部は、前記ケースにおいて、前記被取付部材の車両前方側に位置する側の端面に配置されるように形成されていると好適である。
更に、請求項６のように、前記ケースは、有底筐体として構成されており、前記ケースの有底筐体開口部には、全周に渡ってフランジ状の周縁部が形成されており、該周縁部は、前記ケースの底面壁よりも前記車両の前方側に配置されるとともに、前記係止部は、前記周縁部に形成されていると好適である。
【００１１】
また、更に具体的な構成として、請求項７のように、前記係止部は、前記インフレータの軸方向と異なる方向へ係止力が作用するように設けられると好適であるとともに、請求項８のように、前記係止部は、前記インフレータの軸方向と略平行に並列するように複数備えられていると好適である。
このように構成されていると、エアバッグ装置の取付安定性が向上する。
【００１２】
また、請求項９のように、前記ケースの外側面には、補強のために外側へ向けて突出形成されたリブ部が備えられており、前記係止部は前記リブ部が形成される位置と整合する位置に形成されると、取付剛性が向上するため好適である。
【００１３】
具体的には、請求項１０のように、前記リブ部は、前記係止部と整合する位置に形成される係止部側リブ部と、その他の通常リブ部とで、構成されており、前記係止部側リブ部は、前記通常リブ部よりも、外側へ向けての突出量が小さいと好適である。
【００１４】
また、更に具体的には、請求項１１のように、前記リブ部は、車体の構造体へと連結されると好適である。
また、請求項１２のように、前記リブ部は、表皮取付用のリブとして機能すると好適であり、より具体的には、請求項１３のように、前記リブ部は、前記係止部と整合する位置に形成される係止部側リブ部と、その他の通常リブ部とで、構成されており、前記表皮取付用のリブは、前記通常リブ部であると好適である。
このように構成されていると、リブに複数の機能を持たせることができるとともに、剛性もまた向上する。
【００１５】
更に、請求項１４のように、前記ケースには、力布取付部が形成されていると好適であり、請求項１５のように、前記ケースの側面には、力布貫通孔が形成されており、前記係止部は、前記力布貫通孔を車両上下方向に避けた位置に形成されていると好適である。
このように構成されていることにより、力布を使用する場合であっても対応できるとともに、貫通孔部分を避けて係止部が形成されるため剛性を確保することができる。
【００１６】
また、請求項１６のように、車両搭載時において、前記ケースは、該ケースの開口部が車両前方に向くように配置されており、前記開口部には、リアバックサイド前端部に配置されるパッドの少なくとも一部が挿入されていると、位置決めにおいて有利である。
【発明の効果】
【００１７】
請求項１に記載のサイドエアバッグ装置によれば、取付作業が容易となり作業性が向上する。
請求項２に記載のサイドエアバッグ装置によれば、サイドエアバッグ装置を係止部により簡易かつ確実に取付ることができる。
請求項３及び請求項４に記載のサイドエアバッグ装置によれば、設置操作性が向上するとともに、位置決めが容易になる。また、取付安定性も向上する。
請求項５、請求項６、請求項７、請求項８に記載のサイドエアバッグ装置によれば、エアバッグ装置の取付安定性が向上する。
請求項９に記載のサイドエアバッグ装置によれば、取付剛性が向上する。
請求項１０、請求項１１、請求項１２、請求項１３に記載のサイドエアバッグ装置によれば、リブに複数の機能を持たせることができるとともに、剛性もまた向上する。
請求項１４及び請求項１５に記載のサイドエアバッグ装置によれば、力布を使用する場合であっても対応できるとともに、貫通孔部分を避けて係止部が形成されるため剛性を確保することができる。
請求項１６に記載のサイドエアバッグ装置によれば、簡易かつ確実に位置決めを行うことができる。
【図面の簡単な説明】
【００１８】
【図１】本発明の一実施形態に係るサイドエアバッグ装置の配設場所を示す説明図である。
【図２】本発明の一実施形態に係るサイドエアバッグ装置の斜視説明図である。
【図３】本発明の一実施形態に係るサイドエアバッグ装置の取付部を示す斜視図である。
【図４】本発明の一実施形態に係るサイドエアバッグ装置の取付状態を示す説明図である。
【図５】図４のＡ−Ａ線断面図である。
【図６】図４のＢ−Ｂ線断面図である。
【図７】本発明の一実施形態に係る格納ケース及び閉塞部材を示す説明図である。
【発明を実施するための形態】
【００１９】
以下、本発明の一実施形態（以下、本実施形態）に係るサイドエアバッグ装置について、各図を参照しながら説明する。
なお、以下に説明する実施形態は、本発明の適用を示した例示に過ぎず、本発明を限定するものではない。
すなわち、以下に説明する部材の形状、寸法、配置等については、本発明の趣旨を逸脱することなく、変更、改良され得ると共に、本発明にはその等価物が含まれることは勿論である。
【００２０】
図１乃至図７は、本発明の一実施形態を示したものであり、図１はサイドエアバッグ装置の配設場所を示す説明図、図２はサイドエアバッグ装置の斜視説明図、図３はサイドエアバッグ装置の取付部を示す斜視図、図４はサイドエアバッグ装置の取付状態を示す説明図、図５は図４のＡ−Ａ線断面図、図６は図４のＢ−Ｂ線断面図、図７は格納ケース及び閉塞部材を示す説明図である。
【００２１】
なお、以下の説明において、車両の前後方向とは、通常走行時の前後方向を意味し、また、車両の内側（以下、単に内側ともいう）とは、車室側（車両の室内側）のことを意味し、車両の外側（以下、単に外側ともいう）とは、車外側のことを意味している。
また、本説明において、前後、左右、上下は、後部座席Ｓに座る乗員を基準とする。
【００２２】
＜車両内部の構成＞
以下、図面を参照しながら、本発明の一実施形態について説明する。
図１に示すように、サイドエアバッグ装置ＳＡは、長尺状に形成され、車体Ｃと後部座席Ｓとの間に設けられている。
また、左右のサイドエアバッグ装置ＳＡは、左右対称な構造となっているため、以下においては、一方のサイドエアバッグ装置ＳＡを代表して説明する。
【００２３】
図２に示すように、サイドエアバッグ装置ＳＡは、ケース１０と、ケース１０内に収容
されるエアバッグユニット２０と、を主要構成としている。
本実施形態に係るケース１０は、サイドエアバッグ装置ＳＡの外観形状を規定する樹脂製の部材であり、上下方向に延びる長尺状の有底筐体として形成されている。
【００２４】
本実施形態に係るサイドエアバッグ装置ＳＡは、独立してユニット化されており、これが大きな特徴となっている。
取付け方は、後に詳述するが、このユニット化されたサイドエアバッグ装置ＳＡは、図３に示すバックサイド部材Ｋに形成された、エアバッグ取付孔Ｋ１に取付けられる。
つまり、従来のように、個々の部材を組付けるのではなく、本実施形態に係るサイドエアバッグ装置ＳＡは、これ自体が既にユニット化されており、これを着脱することによって、サイドエアバッグ装置ＳＡを容易に取付若しくは取外しすることが可能となる。
換言すれば、被取付部材には、これを取付けるための孔部若しくは凹部が存在すれば足り、よって、被取付部の形状が変わっても柔軟に対応することができ、汎用性が飛躍的に向上する。
【００２５】
ケース１０は、底面壁１１と、第一側壁１２,１２と、第二側壁１３，１３とで外観有底筐体形状に形成されている。
底面壁１１は、略長方形状平板部であり、その相対向する短辺からは、第一側壁１２，１２が各々起立しており、相対向する長辺からは、第二側壁１３，１３が、第一側壁１２，１２が起立する方向と同方向に向けて各々起立している。
つまり、底面壁１１と、第一側壁１２，１２及び第二側壁１３，１３とで、有底筐体が形成されている（以下、「有底筐体部Ｍ」と記すことがある）。
そして、この有底筐体部Ｍの開口端部には、フランジ状の周縁部１４が形成されている。
この周縁部１４は、有底筐部Ｍの開口端部全周に渡ってフランジ状に形成されている。
なお、底面壁１１には、２個のインフレータ取付孔１１ａ（図４参照）が形成されている。
【００２６】
そして、図２及び図４に示すように、本実施形態に係るケース１０には、係合案内部１５と係止爪部１６とが形成されている。
この係合案内部１５は、第一側壁１２，１２の上方（開口端部側）に１個ずつ形成されており（合計２個）、係止爪部１６は、第二側壁１３，１３の上方（開口端部側）に２個ずつ形成される（合計４個）形成されている。
【００２７】
図２、図４に示すように、係合案内部１５は、第一側壁１２,１２上方の位置から外側に突出するように各々１個ずつ形成されている。
図５に示すように、この係合案内部１５は、上部片１５ａと、下部片１５ｂと、リブ部１５ｃと、を主要構成としている。
【００２８】
上部片１５ａは、その上面（開口端部方向側の面）が、周縁部１４の上面（開口端部方向側の面）と面一となるように、周縁部１４から外側方向へ突出形成された矩形平板部である。
下部片１５ｂは、上部片１５ａよりも若干小さく形成されており、第一側壁１２より外側方向へ向けて突出形成されている。
【００２９】
この下部片１５ｂは、上部片１５ａ位置から距離ｔ１分下方から突出形成されており、上部片１５ａと略平行に延びている。
この距離ｔ１は、バックサイド部材Ｋの肉厚（詳しくいえば、エアバッグ取付孔Ｋ１周縁の肉厚）とほぼ同じ若しくはその肉厚より若干大きくなるように構成されている。
【００３０】
この構成をとることによって、上部片１５ａと下部片１５ｂにより、エアバッグ取付孔Ｋ１周縁部（以下、「取付周縁部Ｋ１１」と記す）を挟持することができる。
また、リブ部１５ｃは、下部片１５ｂの下面（底面壁１１が配設される側の面）と第一側壁１２の外側面とで形成される内隅を架橋するように（この内隅を埋めるように）配設されて、当該部分を補強する。
【００３１】
次いで、係止爪部１６について説明する。
図２、図６に示すように、係止爪部１６は、第二側壁１３,１３の上方の位置から外側に突出するように各々２個ずつ形成されている。
この係止爪部１６は、フック部１６ａと、リブ部１６ｃと、を主要構成としている。
【００３２】
フック部１６ａは、周縁部１４端部から下部方向（底面壁１１が配設される側）に向けて立下り（以下、この立下り部分を「フック立下り部１６１」と記す）、下方端部から外側へ向けて折り返された（以下、この折り返し部分を「フック係止部１６２」と記す）断面略Ｌ形状の鉤状部である。
なお、フック立下り部１６１は、周縁部１４に対して鈍角となる内隅を成して立下がっていると好適である。
このように立下がることにより、フック係止部１６２が係止された際に、その復元力により被係止部を押圧することができるため、取付剛性が向上する。
【００３３】
また、係止爪部１６を構成するフック部１６ａは、インフレータ２２の軸方向と異なる方向へ係止力が作用するように構成されており、これにより安定性が向上する。
更に、係止爪部１６は、インフレータ２２の軸方向と略平行に並列するように複数備えられている。
つまり、インフレータ２２を挟む位置に配設されて、その取付安定性を向上させる。
また更に、図示は省略するが、底面壁１１には、力布の端部取付ける力布取付部と、第二側壁１３には、力布をケース１０内外へ貫通させる力布貫通孔が形成されており、係止爪部１６は、この力布貫通孔が形成される位置を、インフレータ２２の軸方向において避ける位置に形成されている。よって、剛性を向上させることができる。
【００３４】
また、リブ部１６ｃは、係止爪部１６が形成される位置に配設される係止部側リブ部１６３と、係止爪部１６が形成されない位置に配設される通常リブ部１６４とで構成されている。
係止部側リブ部１６３は、第二側壁１３から外側へ突出するものであり、周縁部１４の下面（底面壁１１が配設される側の面）と第一側壁１２の外側面とで形成される内隅を架橋するように（この内隅を埋めるように）配設されて、当該部分を補強する。
そして、係止側リブ部１６３の外側方向への突出量は、通常リブ部の外側方向への突出量よりも小さくなるように構成されている。
また、通常リブ部１６４は、第二側壁１３から外側へ向けて突出形成されるリブであり、表皮取付用リブとして機能し、係止爪部１６とは、上下方向にずれた位置に配設されている（つまり、上下方向において同じ位置には形成されない）。
なお、当該通常リブ部１６４を車両構造物に連結することもできる。
【００３５】
このように構成されたケース１０は、バックサイド部材Ｋに形成されたエアバッグ取付孔Ｋ１に取付けられる。
底面壁１１、第一側壁１２，１２、第三側壁１３，１３で構成された有底筐体部Ｍは、当該エアバッグ取付孔Ｋ１に内挿される。
このとき、図５に示すように、係合案内部１５を構成する上部片１５ａと下部片１５ｂにより、取付周縁部Ｋ１１のうち係合案内部１５が配設される位置部分が挟持される。
つまり、当該構成によって、ケース１０は配設位置に案内されるとともに、位置決めを行うことができる。
【００３６】
また、エアバッグ取付孔Ｋ１にケース１０を取付けた際、フック部１６ａが配設される位置には、フック取付孔Ｋ１２が形成されているとよい（図６（ａ）参照）。
図６（ａ）に示すように、このフック取付孔Ｋ１２に、フック部１６ａが貫通され、フック係止部１６２により係止される。
このフック取付孔Ｋ１２の位置は、一例として示したものであり、取付周縁部Ｋ１１の形状によって適宜選択することができるものである。例えば、端部に向けて緩やかに傾斜している場合には、この傾斜面に取付孔Ｋ１２を作成してもよい。
【００３７】
なお、図６（ｂ）により、係止状態のバリエーションを示した。
図６（ｂ）では、取付周縁部Ｋ１１のうち係止爪部１６が配設される位置部分が、フック部１６ａにより係止される。
この場合、フック立下り部１６１の上下方向長さを、取付周縁部Ｋ１１の厚さよりも若干長く形成するとよい。
なお、上述の通り、フック立下り部１６１は、周縁部１４に対して鈍角となる内隅を成して立下がっているため、フック部１６ａが係止された際に、その復元力により取付周縁部Ｋ１１を押圧することができ、取付剛性が向上する。
このようにして、サイドエアバッグ装置ＳＡは、バックサイド部材Ｋに簡易に取付けられる。
【００３８】
なお、有底筐体として構成されるケース１０の内部には、エアバッグユニット２０が内挿された状態で固定されており、本実施形態に係るサイドエアバッグ装置ＳＡは、この状態で１個のユニットとして完成している。
エアバッグユニット２０は、通常使用されているエアバッグモジュールが使用されていえば足り、どのような構成であってもよいが、以下、簡単に一例を説明する。
【００３９】
エアバッグユニット２０は、前述の通り、ケース１０の筐体内部に納められ、展開時風船状に膨出するエアバッグ（図示せず）と、このエアバッグ内にガスを注入するインフレータ２２とを、主要構成として備えられる。インフレータ２２は、公知のインフレータが使用されており、略円柱状のガス発生装置を、主要構成として構成されている。
なお、通常、このガス発生装置は、リテーナと呼ばれる保持部材に保持された状態で、ケース１０を構成する底面壁１１に固定される。
【００４０】
このリテーナは、例えば、板金を略矩形の筒状に形成することで構成されており、その内部でガス発生装置２３を保持するよう構成されている。リテーナの底面壁１１との接触面である後面は、平面となっており、その適所には、２つの雄ネジ部が後方に突出するように一体に設けられている。そして、この雄ネジ部を、底面壁１１に形成されたインフレータ取付孔１１ａ（図４参照）に貫通させて螺設することにより、ガス発生装置２３は、リテーナを介してケース１０に取付けられる。
【００４１】
また、サイドエアバッグ装置ＳＡ搭載時には、図７（ａ）にも示すように、本実施形態に係るケース１０を使用することが可能であるが、サイドエアバッグ装置ＳＡを搭載しない場合には、図７（ｂ）に示すような閉塞部品ＳＢを使用するとよい。
この閉塞部材ＳＢは、ケース１０の開口部形状と整合する形状に形成されており、同様に、上部片１５ａやフック部１６ａが形成されている。
よって、サイドエアバッグ装置ＳＡ非搭載時には、この閉塞部材ＳＢをエアバッグ取付孔Ｋ１に取付けることにより、当該部分を閉塞することが可能となる。
【００４２】
このように、本実施形態に係るサイドエアバッグ装置ＳＡは、１個のユニットとして完成している。
よって、被取付部材（バックサイド部材Ｋ等）の形状が変わっても、柔軟に対応することができる。つまり、異なる車種や設計変更時においても、柔軟に活用できる汎用性を有している。
また、エアバッグユニット２０を取付けた状態でユニット化することができるため、搬送時にエアバッグユニット２０を保護することが可能となるとともに、搬送性もまた向上する。
更に、１個のユニットとして完成しており、アタッチメント方式で設置することができるため、取付作業が容易となり作業性が向上するとともに、エアバッグ装置ＳＡ搭載時及び非搭載時に柔軟に対応することが可能となる。
なお、サイドエアバッグ装置ＳＡの車両搭載時において、ケース１０は、その開口部が車両前方に向くように配置されており、この開口部には、リアバックサイド前端部に配置されるパッドの少なくとも一部が挿入されるよう構成されている。
これにより、位置決めが容易になる。
【符号の説明】
【００４３】
ＳＡ  サイドエアバッグ装置
１０  ケース
Ｍ  有底筐体部
１１  底面壁
１１ａ  インフレータ取付孔
１２  第一側壁
１３  第二側壁
１４  周縁部
１５  係合案内部
１５ａ  上部片
１５ｂ  下部片
１５ｃ  リブ部
１６  係止爪部（係止部）
１６ａ  フック部
１６１  フック立下り部
１６２  フック係止部
１６ｃ  リブ部
１６３  係止部側リブ部
１６４  通常リブ部
２０  エアバッグユニット
２２  インフレータ
Ｃ  車体
Ｋ  バックサイド部材
Ｋ１  エアバッグ取付孔
Ｋ１１  取付周縁部
Ｋ１２  フック取付孔
Ｍ  有底筐体部
Ｓ  後部座席
ＳＢ  閉塞部材
【図１】
2015009623.tif 000003
【図２】
2015009623.tif 000004
【図３】
2015009623.tif 000005
【図４】
2015009623.tif 000006
【図５】
2015009623.tif 000007
【図６】
2015009623.tif 000008
【図７】
2015009623.tif 000009